(57)【要約】【課題】  見やすいスルー画像や再生画像を表示させることができ、また、アイコンを表示させるための操作部材を用いることなく容易にアイコンを表示させることができるカメラを提供する。【解決手段】  スルー画像または再生画像を表示する表示部１４と、前記表示部の初期姿勢に対する姿勢変化を検出する姿勢センサ２０と、前記姿勢変化に応じて操作内容を示すアイコンを前記スルー画像または前記再生画像が表示されている前記表示部にスライドインさせて表示する表示制御部１６とを備える。【選択図】  図１
2013009061.tif 000002
【特許請求の範囲】
【請求項１】
スルー画像または再生画像を表示する表示部と、
前記表示部の初期姿勢に対する姿勢変化を検出する姿勢センサと、
前記姿勢変化に応じて操作内容を示すアイコンを前記スルー画像または前記再生画像が表示されている前記表示部にスライドインさせて表示する表示制御部と
を備えることを特徴とするカメラ。
【請求項２】
前記表示部に積層して配置されたタッチセンサを備えることを特徴とする請求項１記載のカメラ。
【請求項３】
前記姿勢センサは、姿勢変化の方向、姿勢変化の量、姿勢変化の速度のうちの少なくとも１つを検出することを特徴とする請求項１または２記載のカメラ。
【請求項４】
前記表示制御部は、前記姿勢変化の方向に基づき定められた方向から前記表示部に前記アイコンをスライドインさせて表示することを特徴とする請求項３記載のカメラ。
【請求項５】
前記表示制御部は、前記姿勢変化の量に基づき定められた数の前記アイコンを前記表示部にスライドインさせて表示することを特徴とする請求項３または４記載のカメラ。
【請求項６】
前記表示制御部は、前記姿勢変化の速度に基づき決められたスライドイン速度で前記アイコンを前記表示部にスライドインさせて表示することを特徴とする請求項４または５記載のカメラ。
【請求項７】
前記表示制御部により前記アイコンを表示させた後、所定時間前記アイコンの選択操作が行われない場合に、前記表示制御部は前記アイコンの表示を終了することを特徴とする請求項１〜６の何れか一項に記載のカメラ。
【請求項８】
前記表示制御部により前記アイコンをスライドインさせて表示した後、前記姿勢センサにより前記姿勢変化が検出されなくなった場合に、前記表示制御部は前記アイコンを前記表示部に所定時間表示することを特徴とする請求項１〜７の何れか一項に記載のカメラ。
【請求項９】
前記表示制御部により前記アイコンをスライドインさせて表示した後、前記姿勢センサにより前記姿勢変化が検出されなくなった場合に、前記表示制御部は前記アイコンの表示を終了することを特徴とする請求項１〜７の何れか一項に記載のカメラ。
【請求項１０】
前記表示制御部は、さらに画像情報を前記表示部にスライドインさせて表示することを特徴とする請求項１〜９の何れか一項に記載のカメラ。
【請求項１１】
カメラの表示部にスルー画像または再生画像を表示するステップと、
前記表示部の初期姿勢に対する姿勢変化を検出するステップと、
前記姿勢変化に応じて操作内容を示すアイコンを前記スルー画像または前記再生画像が表示されている前記表示部にスライドインさせて表示するステップと、
前記表示部に表示されたアイコンを選択するステップと、
選択された前記アイコンにより示される操作内容に基づく処理を実行するステップと
を含むことを特徴とするカメラの操作方法。
【発明の詳細な説明】
【技術分野】
【０００１】
本発明は、カメラ及びカメラの操作方法に関するものである。
【背景技術】
【０００２】
表示部にタッチセンサを備えた電子機器が知られている（例えば、特許文献１参照）。この電子機器においては操作内容を示すアイコンを表示部に表示し、ユーザによりタッチセンサを用いたアイコンの選択が行われた場合には、選択されたアイコンにより示される操作内容に基づく処理を実行する。
【先行技術文献】
【特許文献】
【０００３】
【特許文献１】特開２０１１−２３００５号公報
【発明の概要】
【発明が解決しようとする課題】
【０００４】
ところで、カメラ撮影を行う際に表示部にスルー画像を表示する場合や撮影画像等を表示部において再生する場合において、アイコンを重畳表示すると被写体や画像が見づらくなる虞がある。従って、アイコンを表示せずにスルー画像や再生画像を表示することが求められている。
【０００５】
しかし、アイコンを表示しない場合においては、アイコンを表示させるための操作部材を設け、操作指示を行う場合には、操作部材を操作してアイコンを表示部に表示させる必要があった。
【０００６】
本発明の目的は、見やすいスルー画像や再生画像を表示させることができ、また、アイコンを表示させるための操作部材を用いることなく容易にアイコンを表示させることができるカメラ及びカメラの操作方法を提供することである。
【課題を解決するための手段】
【０００７】
本発明に係るカメラは、スルー画像または再生画像を表示する表示部と、前記表示部の初期姿勢に対する姿勢変化を検出する姿勢センサと、前記姿勢変化に応じて操作内容を示すアイコンを前記スルー画像または前記再生画像が表示されている前記表示部にスライドインさせて表示する表示制御部とを備えることを特徴とする。
【０００８】
また、本発明に係るカメラの操作方法は、カメラの表示部にスルー画像または再生画像を表示するステップと、前記表示部の初期姿勢に対する姿勢変化を検出するステップと、前記姿勢変化に応じて操作内容を示すアイコンを前記スルー画像または前記再生画像が表示されている前記表示部にスライドインさせて表示するステップと、前記表示部に表示されたアイコンを選択するステップと、選択された前記アイコンにより示される操作内容に基づく処理を実行するステップとを含むことを特徴とする。
【発明の効果】
【０００９】
本発明に係るカメラ及びカメラの操作方法によれば、見やすいスルー画像や再生画像を表示させることができ、また、アイコンを表示させるための操作部材を用いることなく容易にアイコンを表示させることができる。
【図面の簡単な説明】
【００１０】
【図１】本発明の実施の形態に係るカメラのシステム構成を示すブロック図である。
【図２】本発明の実施の形態に係るカメラのディスプレイにおけるアイコンのスライドイン処理を示すフローチャートである。
【図３】本発明の実施の形態に係るカメラのディスプレイにおけるアイコンのスライドインの状態を示す図である。
【図４】本発明の実施の形態に係るカメラのディスプレイにおけるアイコンのスライドインの状態を示す図である。
【図５】本発明の実施の形態に係るカメラのディスプレイにおけるアイコンのスライドインの状態を示す図である。
【発明を実施するための形態】
【００１１】
以下、図面を参照して本発明の実施の形態に係るカメラ及びカメラの操作方法について説明する。図１は、実施の形態に係るカメラのシステム構成を示すブロック図である。カメラ２は、ＣＰＵ４を備え、ＣＰＵ４には、図示しない撮影レンズを介した被写体光を撮像して撮像信号（蓄積電荷としてのアナログ信号）を生成するＣＣＤ或いはＣＭＯＳ等により構成される撮像素子６、撮像素子６から出力された撮像信号を図示しないＡ／Ｄ変換部においてＡ／Ｄ変換することにより生成された画像データを記憶する画像記憶部８、撮像素子６から出力される撮像信号に基づく画像データに、ホワイトバランス調整、輪郭補償、ガンマ補正等の画像処理を行う画像処理部１０、撮影画像データや種々のデータを記録するメモリカード１２、ＬＣＤ等により構成されるディスプレイ１４の表示制御を行う表示制御部１６、ディスプレイ１４に積層して配置されるタッチセンサ１８、ディスプレイ１４の初期姿勢に対する傾きを検出する傾きセンサ２０、電源スイッチ２１、レリーズボタン２２、撮影時に被写体に対して照明光を照射するフラッシュ２３、ＰＣやプリンタ等のＵＳＢ接続可能な外部機器を接続し撮影画像データ等の送受信を行うＵＳＢポート２４、ＰＣやプリンタ、サーバ等の無線通信可能な外部機器をＷｉＦｉ等により接続し撮影画像データ等の情報の送受信を行う無線通信部２５が接続されている。ここで、ディスプレイ１４は、撮影モードにおいては撮像素子６から出力された撮像信号に基づくスルー画像を表示し、再生モードにおいてはメモリカード１２に記録された撮影画像データに基づく撮影画像を表示する他、タッチセンサ１８を用いた操作内容を示すアイコンをスルー画像または撮影画像に対して重畳表示する。
【００１２】
次に、図２に示すフローチャートを参照して実施の形態に係るカメラのディスプレイにおけるアイコンのスライドイン処理について説明する。なお、このスライドイン処理は、撮影モードにおいても再生モードにおいても行われる処理である。
【００１３】
撮影モードにおいてディスプレイ１４にスルー画像を表示している状態、または再生モードにおいてディスプレイ１４に撮影画像を表示している状態においてＣＰＵ４はカメラ２の姿勢が静止状態であるか否かを判断する（ステップＳ１）。ここで、傾きセンサ２０から出力される値が所定時間以上、一定値である場合にＣＰＵ４はカメラ２の姿勢が静止状態であると判断する。なお、傾きセンサ２０から所定時間以上、一定値との差が所定範囲内である値が継続して出力されている場合にも静止状態であると判断する。
【００１４】
カメラ２の姿勢が静止状態であると判断すると、ＣＰＵ４は静止状態であると判断した姿勢（傾きセンサ２０により上述の一定値が出力される姿勢）におけるディスプレイ１４の表示面の位置を初期姿勢として検出する（ステップＳ２）。一方、カメラ２の姿勢が静止状態ではないと判断した場合には、カメラ２の姿勢が静止状態となるまでステップＳ１に示す処理を繰り返して実行する。
【００１５】
次に、ＣＰＵ４はカメラ２の姿勢変化を検出する（ステップＳ３）。即ち、ＣＰＵ４は傾きセンサ２０から出力される値と上述の一定値との差を検出する。ＣＰＵ４は、カメラ２の姿勢変化を検出すると表示制御部１６を制御して、検出された姿勢変化に基づいてディスプレイ１４にアイコンをスライドインさせて表示させる（ステップＳ４）。ここで、ＣＰＵ４は表示制御部１６を制御して、姿勢変化の方向、姿勢変化の量、姿勢変化の速度のうちの少なくとも１つに基づいてディスプレイ１４の縁部からディスプレイ１４の表示領域にアイコンをスライドさせて表示させる。
【００１６】
姿勢変化の方向に基づいてアイコンをスライドインさせて表示させる場合には、ＣＰＵ４は傾きセンサ２０により検出された姿勢変化の方向に基づき定められた方向からディスプレイ１４にアイコンをスライドインさせて表示させる。例えば、図３（ａ）は、撮影モードにおいてディスプレイ１４にスルー画像を表示し、ディスプレイ１４の表示面が水平面に対して略垂直である状態を示している。図３（ａ）のカメラ２の姿勢におけるディスプレイ１４の表示面の位置を初期姿勢とし、図３（ｂ）の矢印で示すようにカメラ２を左方向へ回転した場合には、傾きセンサ２０はディスプレイ１４の表示面と平行な面内でディスプレイ１４が左方向へ回転したことを検出する。この場合には、図３（ｂ）に示すようにＣＰＵ４は表示制御部１６を制御して、図３（ａ）におけるディスプレイ１４の右側から左方向へアイコン２６，２８，３０をスライドインさせて表示させる。
【００１７】
ここで、アイコン２６は撮影時にフラッシュ２３による発光を行うか否かのフラッシュモードを選択する操作を示すアイコンである。ここで、アイコン２６が選択されるとＣＰＵ４は表示制御部１６を制御して、フラッシュ２３による発光を行う強制発光モード、発光を禁止する発光禁止モード、撮像素子６から出力された撮像信号から算出された被写体の明るさに基づいて発光を行うか否かを決定するオートフラッシュモード等を選択するためのアイコンをディスプレイ１４のスルー画像上に重畳表示させる。
【００１８】
また、アイコン２８は、ズーム操作を示すアイコンである。ここで、アイコン２８が選択されるとＣＰＵ４は表示制御部１６を制御して、ズームイン・ズームアウトの操作を行うためのアイコンをディスプレイ１４のスルー画像上に重畳表示させる。
【００１９】
また、アイコン３０は、画像処理部１０により撮影画像に対して行うホワイトバランスの設定操作を示すアイコンである。ここで、アイコン３０が選択されるとＣＰＵ４は表示制御部１６を制御して、ホワイトバランスの設定値を撮像素子６から出力された撮像信号に基づいて設定するオートホワイトバランスモード、晴天の屋外での撮影に適した設定値とする晴天モード、白色蛍光灯の下での撮影に適した設定値とする蛍光灯モード等を選択するアイコンをディスプレイ１４のスルー画像上に重畳表示させる。
【００２０】
なお、図３（ａ）においてアイコン２６，２８，３０のそれぞれの右側に示された影３２，３４，３６は、アイコン２６，２８，３０がディスプレイ１４の右側から左方向へスライドインすることを説明するために示したものであり、実際には表示されない。
【００２１】
一方、図３（ａ）のカメラ２の姿勢におけるディスプレイ１４の表示面の位置を初期姿勢とし、図３（ｃ）の矢印で示すようにカメラ２を右方向へ回転した場合には、傾きセンサ２０はディスプレイ１４の表示面と平行な面内でディスプレイ１４が右方向へ回転したことを検出する。この場合には、図３（ｃ）に示すようにＣＰＵ４は表示制御部１６を制御して、図３（ａ）におけるディスプレイ１４の左側から右方向へアイコン３８，４０，４２をスライドインさせて表示させる。
【００２２】
ここで、アイコン３８，４０は、撮影モードと再生モードとを選択する操作を示すアイコンである。撮影モードにおいてアイコン４０が選択されるとＣＰＵ４は、撮影モードから再生モードへの切り替えを行う。また、再生モードにおいてアイコン３８が選択されるとＣＰＵ４は、再生モードから撮影モードへの切り替えを行う。
【００２３】
また、アイコン４２は、カメラ２のセットアップを行う操作を示すアイコンである。アイコン４２が選択されると、ＣＰＵ４は表示制御部１６を制御して、日時の設定操作を示すアイコン、日時を撮影画像に写し込むか否かの設定操作を示すアイコン、操作音を出力するか否かの設定操作を示すアイコン、非操作時のオートパワーオフ設定操作を示すアイコン等、セットアップ操作を示すアイコンをディスプレイ１４のスルー画像上に重畳表示させる。
【００２４】
なお、図３（ｃ）においてアイコン３８，４０，４２のそれぞれの左側に示された影４４，４６，４８は、アイコン３８，４０，４２がディスプレイ１４の左側から右方向へスライドインすることを説明するために示したものであり、実際には表示されない。
【００２５】
また、図４（ａ）及び（ｂ）は、再生モードにおいてディスプレイ１４に再生画像を表示し、ディスプレイ１４の表示面が水平面に対して略平行である状態を示している。ここで、図４（ａ）及び（ｃ）は、カメラ２の底面側から視た図を示している。図４（ａ）のカメラ２の姿勢におけるディスプレイ１４の表示面に平行な面を初期姿勢５０とし、図４（ｃ）の矢印で示すようにカメラ２の右側を下げて傾けると、傾きセンサ２０はディスプレイ１４の右側が初期姿勢５０に対して下に下がったことを検出する。この場合には、図４（ｄ）に示すようにＣＰＵ４は表示制御部１６を制御して、図４（ｂ）におけるディスプレイ１４の左側から右方向へアイコン３８，４０，４２をスライドインさせて表示させる。
【００２６】
なお、図４（ａ）に示すカメラ２の姿勢におけるディスプレイ１４の表示面に平行な面を初期姿勢５０とし、カメラ２の左側、上側、または下側を下げて傾けた場合にも、傾きセンサ２０はディスプレイ１４の左側、上側、または下側がそれぞれ初期姿勢５０に対して下に下がったことを検出する。この場合にも、ＣＰＵ４は表示制御部１６を制御して、傾きセンサ２０により検出された姿勢変化の方向に基づき定められた方向からディスプレイ１４にアイコンをスライドインさせて表示させる。
【００２７】
また、図５（ａ）及び（ｂ）は、撮影モードにおいてディスプレイ１４にスルー画像を表示し、ディスプレイ１４の表示面が水平面に対して略垂直である状態を示している。ここで、図５（ａ）及び（ｃ）は、カメラ２の背面から視て左側に位置する側面から視た図を示している。図５（ａ）のカメラ２の姿勢におけるディスプレイ１４の表示面に平行な面を初期姿勢５８とし、図５（ｃ）の矢印で示すようにディスプレイ１４を観察するユーザ側にカメラ２の上部を傾けると、傾きセンサ２０はディスプレイ１４の初期姿勢５８からの傾きを検出する。この場合には、図５（ｄ）に示すようにＣＰＵ４は表示制御部１６を制御して図５（ｂ）におけるディスプレイ１４の上側から下方向へアイコン５２，５４，５６をスライドインさせて表示させる。
【００２８】
ここで、アイコン５２は、カメラ２の撮影条件の設定操作等のメニュー操作を示すアイコンである。アイコン５２が選択されると、ＣＰＵ４は表示制御部１６を制御して、撮影画像データをメモリカード１２に記録する際の画像サイズの設定操作を示すアイコン、露出補正の設定操作を示すアイコン、ＩＳＯ感度設定操作を示すアイコン等、メニュー操作を示すアイコンをディスプレイ１４のスルー画像上に重畳表示させる。
【００２９】
また、アイコン５４は、外部機器との接続方法を選択する画面を表示させる操作を示すアイコンである。アイコン５４が選択されると、ＣＰＵ４は表示制御部１６を制御して、外部機器との接続をＵＳＢポート２４を介したＵＳＢ接続により行うか、無線通信部２５を介したＷｉＦｉ等の無線接続により行うか、外部機器との接続を禁止するか等の選択操作を示すアイコンをディスプレイ１４のスルー画像上に重畳表示させる。
【００３０】
また、アイコン５６は、連写モードの設定を行う操作を示すアイコンである。アイコン５６が選択されると、ＣＰＵ４は表示制御部１６を制御して、単写、連写、レリーズボタン２２の全押し操作が行われている間は連写を継続し撮影された画像の中から最も鮮明に撮影されている１コマをＣＰＵ４が選択してメモリカード１２に記録するＢＳＳ（ベストショットセレクター）等を選択するアイコンをディスプレイ１４のスルー画像上に重畳表示させる。
【００３１】
なお、図５（ｄ）においてアイコン５２，５４，５６のそれぞれの上側に示された影６０，６２，６４は、アイコン５２，５４，５６がディスプレイ１４の上側から下方向へスライドインすることを説明するために示したものであり、実際には表示されない。
【００３２】
また、図５（ａ）に示すカメラ２の姿勢におけるディスプレイ１４の表示面に平行な面を初期姿勢５８とし、ディスプレイ１４を観察するユーザに対して奥側に傾けた場合にも、傾きセンサ２０はディスプレイ１４の初期姿勢５８からの傾きを検出する。この場合には、ＣＰＵ４は表示制御部１６を制御して、ディスプレイ１４の下側からディスプレイ１４にアイコンをスライドインさせて表示させる。
【００３３】
姿勢変化の量に基づいてアイコンをスライドインさせて表示させる場合には、ＣＰＵ４は表示制御部１６を制御して、傾きセンサ２０により検出された姿勢変化の量に基づいて定められた数のアイコンをディスプレイ１４にスライドインさせて表示させる。例えば、傾きの量が少ないときにはアイコンを１列（例えば３個）スライドインさせて表示させ、傾きの量が大きくなるにつれて２列（例えば６個）ないし３列（例えば９個）等スライドインさせて表示するアイコンの数を増加させる。
【００３４】
例えば、図３（ａ）のカメラ２の姿勢におけるディスプレイ１４の表示面の位置を初期姿勢とし、図３（ｃ）の矢印で示すようにカメラ２を右方向へ回転させ、さらに右方向へ回転させた場合には、例えば、アイコン３８，４０，４２の左側にさらにアイコンをスライドインさせて表示させる。このときＣＰＵ４は表示制御部１６を制御して、例えば、手ブレ補正を行うか否かの設定操作を示すアイコン、セルフタイマーの設定操作を示すアイコン、シーンモードの設定操作を示すアイコン等をディスプレイ１４のスルー画像上に重畳表示させる。これにより、ディスプレイ１４のスルー画像上にはアイコンが２列表示される。
【００３５】
姿勢変化の速度に基づいてアイコンをスライドインさせて表示させる場合には、ＣＰＵ４は表示制御部１６を制御して、姿勢変化の速度（ステップＳ３において検出された一定値との差の単位時間当りの変化量）に基づき決められたスライドイン速度でアイコンをスライドインさせて表示させる。例えば、ステップＳ３において検出された一定値との差の単位時間当りの変化量が小さい場合にはＣＰＵ４は表示制御部１６を制御して徐々にアイコンをスライドインさせて表示させ、一定値との時間当りの変化量が大きい場合にはＣＰＵ４は表示制御部１６を制御して素早くアイコンをスライドインさせて表示させる。
【００３６】
ここで、徐々にアイコンをスライドインさせて表示させる場合には、例えば、図３（ｃ）においてアイコン３８，４０，４２の３個のアイコン全てのスライドイン速度を遅くして表示させてもよいし、アイコン３８，４０，４２の順、またはアイコン４２，４０，３８の順等１個ずつスライドインさせて表示させてもよい。
【００３７】
アイコンをスライドインさせて表示させると、ＣＰＵ４は、所定時間内にタッチセンサ１８を用いたアイコンの選択操作が行われたか否かを判断する（ステップＳ５）。アイコンの選択操作が行われるとＣＰＵ４は、表示制御部１６を制御してアイコンを非表示とすると共に、選択操作に対応する処理を実行する（ステップＳ６）。
【００３８】
一方、アイコンをスライドインさせて表示させてから所定時間内にタッチセンサ１８を用いたアイコンの選択操作が行われなかった場合には、ＣＰＵ４は表示制御部１６を制御してアイコンを非表示とする（ステップＳ７）。
【００３９】
なお、アイコンをスライドインさせて表示させた後に、傾きセンサ２０からの出力に基づいてカメラ２の姿勢がステップＳ２において検出した初期姿勢へ戻されたとＣＰＵ４が判断した場合には、ＣＰＵ４は表示制御部１６を制御してアイコンを非表示としてもよい。また、カメラ２の姿勢がステップＳ２において検出した初期姿勢へ戻されたとＣＰＵ４が判断してから所定時間アイコンの表示を継続し、ステップＳ５〜Ｓ７に示す処理を行ってもよい。
【００４０】
本実施の形態に係るカメラ及びカメラの操作方法によれば、見やすいスルー画像や再生画像を表示することができ、また、アイコンを表示させるための操作部材を用いることなく容易にアイコンを表示することができる。従って、撮影モードにおいてはアイコンが被写体を隠すことを防ぐことができる。また、アイコンを表示させるための操作部材を追加する必要がなく、部品点数を削減することができる。また、直感的な操作によりアイコンの表示を行うことができる。
【００４１】
なお、上述の実施の形態においては、アイコンをスライドインさせて表示させる構成としたが、画像情報をスライドインさせて表示させる構成としてもよい。ここで、画像情報として、撮影モードにおいては、撮影を行った場合にメモリカード１２に記録する撮影画像データの画像サイズや露出補正値、ＩＳＯ感度等をスライドインさせて表示させてもよい。再生モードにおいては、表示している撮影画像の撮影日時、画像サイズ、表示している撮影画像の番号及び再生可能な全画像数をスライドインさせて表示させてもよい。また、再生モードにおいては、表示している撮影画像の画像編集方法を示す画像編集ガイドをスライドインさせて表示させてもよい。
【００４２】
また、上述の実施の形態においては、ディスプレイ１４がカメラ２の背面に固定して設けられているが、ディスプレイ１４がカメラ２の背面に回転可能に設けられるバリアングルのものであってもよい。この場合には、カメラ２の本体側に傾きセンサ２０を設け更にディスプレイ１４の表示面のカメラ２の本体に対する回転角度を検出するセンサを設けることにより初期姿勢及びディスプレイ１４の姿勢変化を検出する。また、この場合において、ディスプレイ１４に傾きセンサ２０を設けることにより初期姿勢及びディスプレイ１４の姿勢変化を検出する構成としてもよい。
【００４３】
また、上述の実施の形態において、カメラ２の所定方向への姿勢変化を検出しアイコンを一旦スライドインさせた後にカメラ２の姿勢が初期姿勢へ戻され、傾きセンサ２０からの出力に基づいて再び所定方向への姿勢変化を検出した場合に、１度目にスライドインさせて表示させたアイコンとは異なるアイコンをスライドインさせて表示させる構成としてもよい。即ち、所定時間に複数回同じ方向への姿勢変化を検出した場合には、スライドインさせて表示させるアイコンの種類を異ならせてもよい。
【００４４】
また、上述の実施の形態に係るカメラは、レリーズボタン２２を備えているが、レリーズボタン２２を設けずにディスプレイ１４にレリーズ指示を示すアイコンを表示してもよい。この場合には、タッチセンサ１８を介してレリーズ指示を示すアイコンが選択されると、ＣＰＵ４は被写体の撮影処理を行う。
【００４５】
また、上述の実施の形態において、スライドインさせて表示させるアイコンの配置は予め定められた順序としてもよいし、ユーザにとって使い勝手がよくなるように配置する構成としてもよい。ユーザの使い勝手に対応した配置とする場合には、使用頻度が高いアイコンを上部に配置する構成としてもよい。また、ユーザにとって使い勝手がよいようにユーザ自身がアイコンの配置を変更可能な構成としてもよい。
【００４６】
また、上述の実施の形態においては、横位置撮影を例に説明したが、縦位置撮影においても上述の実施の形態と同様にアイコンをスライドインさせて表示させてもよい。この場合には、縦位置撮影においても、横位置撮影においても、ユーザがディスプレイ１４を観察する際のユーザの右側からスライドインさせて表示させるアイコン、左側からスライドインさせて表示させるアイコン、上側からスライドインさせて表示させるアイコンをそれぞれ一致させる。即ち、図２のフローチャートに示すステップＳ２において検出した初期姿勢を用いて縦位置撮影においても、アイコン２６，２８，３０をユーザの右側からスライドインさせて表示させ、アイコン３８，４０，４２をユーザの左側からスライドインさせて表示させ、アイコン５２，５４，５６をユーザの上側からスライドインさせて表示させる。
【００４７】
また、横位置撮影においてスライドインさせて表示させるアイコンと同一の操作内容を示すアイコンを、縦位置撮影用のデザインに変更してスライドインさせて表示させてもよい。
【符号の説明】
【００４８】
２…カメラ、４…ＣＰＵ、６…撮像素子、１４…ディスプレイ、１６…表示制御部、１８…タッチセンサ、２０…傾きセンサ
【図１】
2013009061.tif 000003
【図２】
2013009061.tif 000004
【図３】
2013009061.tif 000005
【図４】
2013009061.tif 000006
【図５】
2013009061.tif 000007